(57)【要約】【課題】複数の種類のロック解除機能を備える電子機器において、ロック解除の操作性をいっそう向上させる技術を提供する。【解決手段】電子機器は、複数の種類のロック解除機能を備える。電子機器は、電子機器の使用環境を示す信号を、各種センサ装置等から取得する。電子機器は、電子機器が使用される使用環境と、各ロック解除機能を利用可とするか利用不可とするかとを対応付けた利用可否情報を記憶する。電子機器は、ロック解除のための入力操作を受け付ける場合に、取得した信号と、利用可否情報とに基づいて、複数のロック解除機能のうち、信号に示される電子機器の使用環境において利用可とされるロック解除機能を実行する。電子機器は、ロック解除機能を解除するための操作を受け付けた場合にロックを解除する。【選択図】図５
2016177456.tif 000002
【特許請求の範囲】
【請求項１】
複数の種類のロック解除機能に対応した電子機器であって、
前記電子機器の使用環境を示す信号を取得するように構成された取得部と、
前記電子機器が使用される使用環境と、各ロック解除機能を利用可とするか利用不可とするかとを対応付けた利用可否情報を記憶するように構成された記憶部と、
前記電子機器の動作を制御するように構成された制御部とを備え、
前記制御部は、
ロック解除のための入力操作を受け付ける場合に、前記取得部により取得した信号と、前記記憶部に記憶される前記利用可否情報とに基づいて、前記複数のロック解除機能のうち、前記信号に示される前記電子機器の使用環境において利用可とされるロック解除機能を実行する解除機能設定部と、
前記解除機能設定部により実行される前記ロック解除機能によるロックを解除するための操作を受け付けた場合にロックを解除するロック解除部とを含む、電子機器。
【請求項２】
前記記憶部は、
前記電子機器が通常使用するロック解除機能の設定を記憶するように構成されており、
前記制御部の前記解除機能設定部がロック解除機能を実行することには、前記取得部により取得した信号に示される前記電子機器の使用環境において、前記通常使用するロック解除機能が利用可である場合に、当該通常使用するロック解除機能を実行し、前記通常使用するロック解除機能が利用不可である場合に、前記利用可とされるロック解除機能を実行することが含まれる、請求項１に記載の電子機器。
【請求項３】
前記取得部が取得する前記電子機器の使用環境を示す信号には、前記電子機器の周辺の音に関する情報、前記電子機器の位置情報、前記電子機器の周辺の明るさに関する情報、および前記電子機器を使用するユーザの着用物に関する情報のうち少なくともいずれかが含まれる、請求項１または２に記載の電子機器。
【請求項４】
前記制御部の前記解除機能設定部がロック解除機能を実行することには、前記取得部が取得する信号に示される前記電子機器の使用環境において利用可とされるロック解除機能のいずれか１つを実行することを含む、請求項１から３のいずれか１項に記載の電子機器。
【請求項５】
前記記憶部が記憶する前記利用可否情報は、各ロック解除機能の優先度を示す情報を含み、
前記制御部の前記解除機能設定部がロック解除機能を実行することには、前記電子機器の使用環境において利用可とされるロック解除機能のうち最も優先度が高いロック解除機能を実行することを含む、請求項４に記載の電子機器。
【発明の詳細な説明】
【技術分野】
【０００１】
本開示は、電子機器に関し、特に、ロック解除の技術に関する。
【背景技術】
【０００２】
近年、電子機器の軽量化が進み、様々な場面で広く利用されている。電子機器として、例えば、スマートフォン、タブレット、ラップトップ型ＰＣ（Personal  Computer）などがある。ラップトップ型ＰＣの中には、ディスプレイとキーボードとが分離可能となっているものもあり、これらを分離することで、タブレットとして使用することができるものもある。また、近年、スマートフォンのディスプレイサイズが大型化してきており、４インチ〜６インチのディスプレイを有するスマートフォンも利用されている。スマートフォンのディスプレイの大型化とともに、スマートフォンおよびタブレットの機能を併せ持つ端末として、いわゆる「ファブレット（Phablet）」と呼ばれる端末も登場してきている。また、近年、例えば腕時計型のウェアラブルデバイスも登場してきている。
【０００３】
電子機器は、ユーザにとって重要なファイル、電話帳など個人情報を格納したデータなど第三者から容易に閲覧されないことが望ましい情報を記憶している。そのため、電子機器は、操作画面をロックして、ロック解除の操作を受け付けることでユーザを認証する機能を提供している。ロック解除の方法は、第三者によるなりすましの認証を防ぐため、セキュリティの強度に留意しつつ、ロック解除のための操作がユーザにとって複雑になりすぎないよう様々な技術が検討されている。例えば、電子機器は、ロック解除機能として、ユーザの顔画像を撮影することで認証する顔認証、ユーザの音声入力を受け付けて認証する音声認証、ユーザの指紋を認識することで認証する指紋認証、パスワードの入力を受け付けて認証するパスワード認証、画面に表示されるパターン画像をユーザがタッチ操作でなぞる軌跡に基づき認証するパターン認証など様々な機能に対応している。
【０００４】
このようなロック解除におけるユーザの認証処理の操作性を向上させるため、例えば、特開２０１４−１３４９３号公報（特許文献１）は、多様な把持状態に合わせてユーザの認証処理を実施可能とする技術を記載している。
【先行技術文献】
【特許文献】
【０００５】
【特許文献１】特開２０１４−１３４９３号公報
【発明の概要】
【発明が解決しようとする課題】
【０００６】
特許文献１に記載された技術によると、ユーザが携帯端末を把持する各把持状態に応じて、携帯端末を利用可能なユーザであるか認証するため、正当ではないユーザを誤って正当なユーザと認証してしまう可能性を低減している。
【０００７】
しかし、ユーザが電子機器を使用する環境、ユーザが電子機器を使用する態様は様々なものがあるため、把持状態による認証とは別のロック解除機能によってユーザを認証することがより望ましい状況もありうる。例えば、把持状態によるロック解除と比べて、よりセキュリティ強度が高いと考えられるロック解除機能を優先したいとユーザが希望する局面もありうる。
【０００８】
そこで、本開示のある局面における目的は、複数の種類のロック解除機能に対応した電子機器の、ロック解除の操作性をいっそう向上させる技術を提供することである。
【課題を解決するための手段】
【０００９】
一実施形態に従う電子機器は、複数の種類のロック解除機能に対応する。電子機器は、電子機器の使用環境を示す信号を取得するように構成された取得部と、電子機器が使用される使用環境と、各ロック解除機能を利用可とするか利用不可とするかとを対応付けた利用可否情報を記憶するように構成された記憶部と、電子機器の動作を制御するように構成された制御部とを備える。制御部は、ロック解除のための入力操作を受け付ける場合に、取得部により取得した信号と、記憶部に記憶される利用可否情報とに基づいて、複数のロック解除機能のうち、信号に示される電子機器の使用環境において利用可とされるロック解除機能を実行する解除機能設定部と、解除機能設定部により実行されるロック解除機能を解除するための操作を受け付けた場合にロックを解除するロック解除部とを含む。
【発明の効果】
【００１０】
一実施形態に従う電子機器は、電子機器の使用環境に応じて利用可能なロック解除機能をユーザに提供するため、ロック解除時の操作性をいっそう向上させることができる。
【００１１】
この発明の上記および他の目的、特徴、局面および利点は、添付の図面と関連して理解されるこの発明に関する次の詳細な説明から明らかとなるであろう。
【図面の簡単な説明】
【００１２】
【図１】実施の形態の電子機器１０の外観および構成を概略的に示す図である。
【図２】電子機器１０が、電子機器１０が使用される環境に応じて複数の画面ロック解除機能を切り替える処理を機能的に示す図である。
【図３】利用可否情報１５１と通常ロック設定情報１５２とのデータ構造を示す図である。
【図４】電子機器１０が電子機器１０の使用環境に応じて各画面ロック解除機能を切り替える処理を示すフローチャートである。
【図５】実施の形態で説明した画面ロック解除の切り替え制御の画面表示の例を示す図である。
【発明を実施するための形態】
【００１３】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１４】
＜実施の形態＞
図１は、実施の形態の電子機器１０の外観および構成を概略的に示す図である。図１（Ａ）は、電子機器１０の外観を示し、電子機器１０の筐体のディスプレイ１４２が配置される面を示す図である。図１（Ｂ）は、電子機器１０の構成を示すブロック図である。
【００１５】
電子機器１０は、例えば、スマートフォン、タブレットその他の電子機器である。図１（Ｂ）に示すように、電子機器１０は、アンテナ１０１と、無線通信部１１１と、物理操作キー１３１と、ＧＰＳモジュール１３２と、グリップセンサ１３４と、カメラ１３５と、指紋認証センサ１３６と、操作受付部（タッチパネル）１４１と、ディスプレイ１４２と、電源制御部１４４と、バッテリ１４５と、音声処理部１４６と、マイク１４７と、スピーカ１４８と、照度センサ１４９と、記憶部１５０と、制御部１６０とを含む。
【００１６】
電子機器１０は、複数の種類の画面ロック解除機能に対応する。画面ロック解除機能とは、電子機器１０を使用するユーザが正当なユーザであるか否かを認証するものであり、不正なユーザによる電子機器１０の無断使用を抑止する。電子機器１０は、画面ロック解除機能として、（１）ユーザの指紋を認証するもの、（２）ユーザの音声を認証するもの、（３）ユーザの顔画像を認証するもの、（４）画面ロック解除をするためのパスワードの入力を受け付けることで認証するもの、（５）ディスプレイ１４２に表示される複数のパターン画像をユーザがなぞる軌跡によって認証するもの、など様々なものを実行することができる。電子機器１０は、例えば画面表示がオフからオンにする操作がなされたときに、少なくともいずれか１つの画面ロック解除機能を実行することでユーザを認証する。
【００１７】
電子機器１０は、図１（Ｂ）に信号取得部１５５として示すように、各種センサ、操作受付部１４１およびマイク１４７等により、電子機器１０の使用環境を示す信号を取得する。電子機器１０の使用環境を示す信号とは、例えば、電子機器１０の周辺の音に関する情報（音量など）、電子機器１０の位置情報、電子機器１０の周辺の明るさに関する情報（照度など）、電子機器１０を使用するユーザの着用物に関する情報その他の情報がある。電子機器１０は、電子機器１０の周辺の音に関する情報を、例えば、マイク１４７により集音することで取得する。電子機器１０は、電子機器１０が移動中であるか、任意の地点にあるか等の電子機器１０の位置情報を、ＧＰＳモジュール１３２等によって取得する。電子機器１０は、電子機器１０の周辺の明るさに関する情報を、照度センサ１４９等により取得する。電子機器１０は、電子機器１０を使用するユーザの着用物に関する情報を、例えば操作受付部１４１、感圧センサ１４３、グリップセンサ１３４その他のデバイスによって出力される信号により取得する。例えば、ユーザの着用物としては、ユーザが手袋を着用しているか否かがある。静電容量方式でユーザのタッチ操作を受け付けるタッチパネルに対する入力操作に手袋が対応していない場合、ユーザは、手袋を着用したままでは、タッチパネルに対する入力操作を行えないこととなる。この場合、電子機器１０がディスプレイ１４２にパターン画像を表示してユーザを認証するパターン認証を行ったとしても、ユーザはパターン認証による画面ロック解除を行うことが困難となる。感圧センサ１４３は、ディスプレイ１４２に対する押圧を検出する。電子機器１０は、このように、静電容量方式のタッチパネル（操作受付部１４１）と、感圧式の感圧センサ１４３とを備えてユーザの操作を検出する。電子機器１０は、感圧センサ１４３からの信号によりユーザがディスプレイ面を押圧していることを示す信号を取得し、グリップセンサ１３４からユーザが電子機器１０を把持していることを示す信号を取得し、操作受付部１４１からはユーザのタッチ操作を示す信号が検出されない場合に、ユーザが手袋をして操作していること等によりタッチパネルに対する入力操作が困難な状態であると判定する。
【００１８】
図１（Ａ）に示すように、電子機器１０は、筐体のディスプレイ１４２が配置される面（正面とする）と同じ面に、物理操作キー１３１と、指紋認証センサ１３６と、カメラ１３５と、スピーカ１４８と、照度センサ１４９とを備える。電子機器１０は、正面に操作受付部１４１と、ディスプレイ１４２とを備える。電子機器１０の筐体に、ディスプレイ１４２と、操作受付部１４１と、カバーガラスとが積層されてはめ込まれているが、これに限らず、タッチパネル機能を内蔵するディスプレイを使用してもよいし、タッチパネルとカバーガラスとが一体となったもの（カバーガラス一体型タッチパネル）を使用してもよい。操作受付部１４１は、ユーザの指やスタイラスペンなどの接触を検出する。ディスプレイ１４２は、描画のための信号に基づき、文字入力のための仮想キーボード、アイコン、静止画、動画、および映像などを表示する。物理操作キー１３１は、物理的な入力部材であり、ユーザが入力部材を押下する操作を検出して入力操作として受け付ける。カメラ１３５は、光学撮像素子を備え、例えばユーザが顔認証により画面ロック機能を解除する際に、ユーザの顔を撮影するために用いられる。指紋認証センサ１３６は、画面ロック解除機能として指紋認証を行う際に、ユーザの指紋を認識するためのセンサである。指紋認証センサ１３６は、ユーザによる押下操作を受け付けることとしてもよい。照度センサ１４９は、周囲の明るさを検知し、照度に応じた信号を出力する。
【００１９】
電子機器１０は、筐体の側面に、筐体への人体の接触を検知するグリップセンサ１３４を備える。図１（Ａ）の例では、電子機器１０の筐体の両側面にグリップセンサ１３４が配置される。グリップセンサ１３４は、例えば静電容量方式のタッチセンサ、圧力の変化を検出するセンサ、温度の変化を検出するセンサその他のセンサであり、電気抵抗の変化、または温度の変化を検知すること等により、グリップセンサ１３４に対する人体の接触を検知する。
【００２０】
アンテナ１０１は、電子機器１０が発する信号を電波として放射する。また、アンテナ１０１は、空間から電波を受信して受信信号を無線通信部１１１へ与える。本実施形態では、電子機器１０は、複数の無線通信規格に対応している。通信方式として、Ｗ−ＣＤＭＡ（Wideband  Code  Division  Multiple  Access）、ＬＴＥ（Long  Term  Evolution）、その他の通信方式がある。また、電子機器１０は、ＩＥＥＥ（Institute  of  Electrical  and  Electronic  Engineers）８０２．１１などの無線ＬＡＮ規格にも対応する。
【００２１】
無線通信部１１１は、電子機器１０が他の無線機器と通信するため、アンテナ１０１等を介して信号を送受信するための変復調処理などを行う。無線通信部１１１は、チューナー、ＲＳＳＩ（Received  Signal  Strength  Indicator）算出回路、ＣＲＣ（Cyclic  Redundancy  Check）算出回路、高周波回路などを含む通信モジュールである。無線通信部１１１は、電子機器１０が送受信する無線信号の変復調や周波数変換を行い、受信信号を制御部１６０へ与える。
【００２２】
物理操作キー１３１は、物理的な入力装置であり、ユーザによる押下操作を受け付ける。物理操作キー１３１は、ユーザの押下操作に応じて、操作内容を示す信号を制御部１６０へ出力する。
【００２３】
ＧＰＳモジュール１３２は、衛星測位システムで用いられる受信装置である。衛星測位システムでは、少なくとも３個または４個の衛星からの信号を受信し、受信した信号に基づいて、ＧＰＳモジュール１３２が搭載される電子機器１０の現在位置を検出する。
【００２４】
操作受付部１４１は、ユーザの入力操作を受け付ける。操作受付部１４１は、例えば静電容量方式のものを用いることによって、ユーザの接触位置を検出する。操作受付部１４１は、検出したユーザの接触位置を示す信号を入力操作として制御部１６０へ出力する。また、操作受付部１４１は、ロック解除のためのユーザの入力操作を受け付ける。
【００２５】
ディスプレイ１４２は、制御部１６０の制御に応じて、画像、動画、テキストなどのデータを表示する。ディスプレイ１４２は、例えばＬＣＤ（Liquid  Crystal  Display）や有機ＥＬ（Electro-Luminescence）ディスプレイによって実現される。
【００２６】
電源制御部１４４は、電子機器１０の各回路に対する電力の供給を制御する。電源制御部１４４は、例えば電源制御用ＩＣ（Integrated  Circuit）である。バッテリ１４５は、電子機器１０の各回路を動作させるための電力を供給する供給源である。バッテリ１４５からの電力は、電源制御部１４４の制御に従って各回路へ供給される。音声処理部１４６は、音声信号の変復調を行う。音声処理部１４６は、マイク１４７から与えられる信号を変調して、変調後の信号を制御部１６０へ与える。また、音声処理部１４６は、音声信号をスピーカ１４８へ与える。音声処理部１４６は、例えば音声処理用のプロセッサによって実現される。マイク１４７は、音声入力を受け付けて、当該音声入力に対応する音声信号を音声処理部１４６へ与える。スピーカ１４８は、音声処理部１４６から与えられる音声信号を音声に変換して当該音声を電子機器１０の外部へ出力する。
【００２７】
記憶部１５０は、例えばフラッシュメモリ等により構成され、電子機器１０が使用するデータおよびプログラムを記憶する。ある局面において、記憶部１５０は、利用可否情報１５１と、通常ロック設定情報１５２と、指紋認証情報１５３とを記憶する。利用可否情報１５１は、電子機器１０が使用される使用環境と、各画面ロック解除機能を利用可とするか利用不可とするかとを対応付けた情報である。利用可否情報１５１は、複数の画面ロック解除機能と対応付けてセキュリティ強度（優先度）の情報を記憶する。電子機器１０は、電子機器１０の使用環境において利用可とされる画面ロック解除機能のうち、セキュリティ強度（優先度）が高いものをなるべく使用することで、セキュリティ強度を高めることができる。
【００２８】
通常ロック設定情報１５２は、電子機器１０が通常使用する画面ロック解除機能の設定を示す情報である。指紋認証情報１５３は、ユーザを認証するため、指紋認証センサ１３６で取得するユーザの指紋と照合するためのデータである。指紋認証情報１５３は、正当なユーザの指紋を示すデータである。
【００２９】
制御部１６０は、記憶部１５０に記憶される制御プログラムを読み込んで、当該制御プログラムに含まれる命令を実行することにより、電子機器１０の動作を制御する。制御部１６０は、例えばアプリケーションプロセッサである。制御部１６０は、プログラムに従って動作することにより、解除機能設定部１６１と、ロック解除部１６２としての機能を発揮する。
【００３０】
解除機能設定部１６１は、電子機器１０が画面ロック解除のための入力操作を受け付ける場合に、信号取得部１５５のセンサ装置等により取得した信号と、記憶部１５０に記憶される利用可否情報１５１とに基づいて、複数の画面ロック解除機能のうち、取得した信号に示される電子機器の使用環境において利用可とされる画面ロック解除機能を実行する。解除機能設定部１６１は、信号取得部１５５によって取得した信号に示される電子機器１０の使用環境において、通常ロック設定情報１５２の設定に示される、通常使用する画面ロック解除機能が利用可である場合に、この通常使用する画面ロック解除機能を実行し、通常使用する画面ロック解除機能が利用不可である場合に、その他の利用可とされる画面ロック解除機能を実行する。また、解除機能設定部１６１は、複数の画面ロック解除機能のうち、信号取得部１５５が取得する信号に示される電子機器１０の使用環境において利用可とされる画面ロック解除機能のいずれか１つを実行することとしてもよい。解除機能設定部１６１は、電子機器１０の使用環境において利用可とされる画面ロック解除機能のうち最もセキュリティ強度（優先度）が高い画面ロック解除機能を実行する。
【００３１】
ロック解除部１６２は、解除機能設定部１６１によって実行される画面ロック解除機能を解除するための操作を受け付けた場合に、画面ロックを解除する。
【００３２】
図２は、電子機器１０が、電子機器１０が使用される環境に応じて複数の画面ロック解除機能を切り替える処理を機能的に示す図である。
【００３３】
解除機能設定部１６１は、画面ロック設定制御部１７１と、画面ロック判定部１７２と、画面ロック切替部１７３と、画面ロック表示部１７４との処理を行う。画面ロック設定制御部１７１は、ユーザが設定した画面ロック解除機能を通常ロック設定情報１５２として記憶部１５０に記憶させる。
【００３４】
画面ロック判定部１７２は、信号取得部１５５から、電子機器１０が使用される使用環境を示す信号を取得する。また、画面ロック判定部１７２は、記憶部１５０から利用可否情報１５１と通常ロック設定情報１５２とを読み出して、通常使用するものとして設定された画面ロック解除機能が、電子機器１０の使用環境を示す信号に基づいて利用可能であるか否かを判定する。通常使用するものとして設定された画面ロック解除機能が利用不可と判定された場合、画面ロック判定部１７２は、利用可否情報１５１を参照して、セキュリティ強度（優先度）が高く設定された画面ロック解除機能から順に、電子機器１０の使用環境を示す信号に基づいて利用可能であるか否かを判定する。すなわち、画面ロック判定部１７２は、複数の画面ロック解除機能のうち、電子機器１０の使用環境において利用可能であり、また、セキュリティ強度が高い画面ロック解除機能がいずれであるかを判定する。
【００３５】
画面ロック切替部１７３は、画面ロック判定部１７２の判定結果に従って、電子機器１０が実行する画面ロック解除機能を切り替える。画面ロック表示部１７４は、画面ロック解除機能に対する画面ロック解除のための操作をユーザから受け付けるための所定の表示を行う。例えば、電子機器１０は、音声認証による画面ロック解除が利用可能であることをディスプレイ１４２に表示する。
【００３６】
＜データ＞
図３を参照して、電子機器１０が使用するデータのデータ構造を説明する。
【００３７】
図３は、利用可否情報１５１と通常ロック設定情報１５２とのデータ構造を示す図である。図３に示すように、利用可否情報１５１の各レコードは、認証方式識別情報１５１Ａと、セキュリティ強度１５１Ｂと、周辺の音の影響１５１Ｃと、ユーザの着用物の影響１５１Ｄと、位置の影響１５１Ｅと、周辺の明るさの影響（暗所）１５１Ｆと、周辺の明るさの影響（明所）１５１Ｇとを含む。図３の例では、通常ロック設定情報１５２において、ユーザは、認証方式「指紋認証」を、通常使用する画面ロック解除機能として指定している。
【００３８】
認証方式識別情報１５１Ａは、電子機器１０が実行することができる複数の画面ロック解除機能のそれぞれを識別する情報である。
【００３９】
セキュリティ強度１５１Ｂは、各画面ロック解除機能のセキュリティ強度の設定を示す。セキュリティ強度が高い画面ロック解除機能であるほど、第三者による不正な電子機器１０の利用を抑止することができるため、セキュリティ強度１５１Ｂは、いずれの画面ロック解除機能を優先して実行するかを示す。
【００４０】
周辺の音の影響１５１Ｃ、ユーザの着用物の影響１５１Ｄ、位置の影響１５１Ｅ、周辺の明るさの影響（暗所）１５１Ｆおよび周辺の明るさの影響（明所）１５１Ｇは、電子機器１０が使用される使用環境において、信号取得部１５５が取得する信号値に基づき、画面ロック解除の利用を許可（ＯＫ）するか利用不可（ＮＧ）とするかを対応付けた情報である。例えば、周辺の音の影響１５１Ｃは、認証方式識別情報１５１Ａに示される各画面ロック解除機能について、電子機器１０の周辺の音の音量が閾値を超える場合に利用可とするか利用不可とするかを示す。電子機器１０は、電子機器１０の周囲の音をマイク１４７で集音する。例えば、電子機器１０の周辺が、大音量の音が鳴る環境である場合、音声認識によるユーザの認証に支障が生じるおそれがある。
【００４１】
ユーザの着用物の影響１５１Ｄは、電子機器１０を操作するユーザの着用物の影響により画面ロック解除の操作が困難となる場合に、認証方式識別情報１５１Ａに示される各画面ロック解除機能を利用可とするか利用不可とするかを示す。例えば、静電容量方式のタッチパネルに対応しない手袋をユーザが装着していると、タッチパネルを介した入力操作に基づき画面ロックを解除する画面ロック解除機能を利用することが困難となる。また、ユーザが手袋を着用している場合、指紋認証センサ１３６による指紋の読み取りも困難となることが想定される。そのため、電子機器１０は、例えばユーザが手袋を着用しているなど着用物による影響がある場合、画面ロック解除機能として、音声認識による認証と、ユーザの顔画像による認証とをユーザに提供する。
【００４２】
位置の影響１５１Ｅは、電子機器１０を携行するユーザが移動することによる画面ロック解除の影響がある場合に、認証方式識別情報１５１Ａに示される各画面ロック解除機能を利用可とするか利用不可とするかを示す。電子機器１０は、ユーザが一定速度以上で移動しているか否かを、例えば、ＧＰＳモジュール１３２から逐次位置情報を受信し、各位置情報に示される距離間隔と、位置情報を受信した時間間隔とに基づき判定する。電子機器１０は、ユーザが移動している間は、音声認識による画面ロック解除機能と、顔認証による画面ロック解除機能とを利用不可とする。
【００４３】
周辺の明るさの影響（暗所）１５１Ｆは、電子機器１０の周辺の明るさを照度センサ１４９の信号値によって取得し、電子機器１０の周辺の明るさが閾値を超えない場合に、電子機器１０が暗所にあると判定して、電子機器１０が暗所にある場合に利用可とする画面ロック解除機能と、利用不可とする画面ロック解除機能とを示す。例えば、電子機器１０の周囲が比較的暗い場合、カメラ１３５によるユーザの顔の撮影が、顔認証に十分な明るさを有していないことがある。
【００４４】
周辺の明るさの影響（明所）１５１Ｇは、電子機器１０の周辺の明るさを照度センサ１４９の信号値によって取得し、電子機器１０の周辺の明るさが閾値を超える場合に、電子機器１０が明所にあると判定して、電子機器１０が明所にある場合に利用可とする画面ロック解除機能と、利用不可とする画面ロック解除機能とを示す。
【００４５】
＜動作＞
図４を参照して、電子機器１０の動作について説明する。
【００４６】
図４は、電子機器１０が電子機器１０の使用環境に応じて各画面ロック解除機能を切り替える処理を示すフローチャートである。電子機器１０は、例えば画面の表示をオフからオンにする操作をユーザから受け付けることにより、図４に示す処理を開始する。
【００４７】
ステップＳ１０１において、電子機器１０の制御部１６０は、記憶部１５０から通常ロック設定情報１５２に示される、通常使用する画面ロック解除機能を読み出して、判定対象として保持する。
【００４８】
ステップＳ１０３において、制御部１６０は、判定対象として保持する画面ロック解除機能について、利用可否情報１５１を参照して電子機器１０の使用環境によっては利用不可となる項目の信号出力値を信号取得部１５５から取得する。例えば、判定対象の画面ロック解除機能が音声認証である場合、制御部１６０は、利用可否情報１５１を参照し、電子機器１０の使用環境によっては利用不可となる項目が、項目「周辺の音の影響有り」（周辺の音の影響１５１Ｃ）と、項目「位置の影響有り」（位置の影響１５１Ｅ）であることを特定する。制御部１６０は、電子機器１０の周辺の音を示す信号をマイク１４７から受け付ける。また、制御部１６０は、電子機器１０の位置についての情報をＧＰＳモジュール１３２から取得する。
【００４９】
ステップＳ１０５において、制御部１６０は、信号取得部１５５の信号出力値と、予め定めた閾値とを比較して、電子機器１０の使用環境において、判定対象の画面ロック解除機能が利用可であるか利用不可であるかを判定する。例えば、判定対象の画面ロック解除機能が音声認証である場合、制御部１６０は、マイク１４７によって集音される電子機器１０の周辺の音の音量が閾値を超える場合に、音声認証による画面ロック解除機能を利用不可であると判定し、電子機器１０の周辺の音量が閾値に満たない場合に、音声認証による画面ロック解除機能を利用可であると判定する。また、制御部１６０は、ＧＰＳモジュール１３２から電子機器１０の位置情報を逐次取得し、一定時間内に電子機器１０が移動した距離と閾値とを比較して、電子機器１０の使用環境において、電子機器１０が一定時間内に一定距離を超えて移動している場合に、音声認証による画面ロック解除機能を利用不可であると判定し、一定時間内に電子機器１０が移動した距離が閾値に満たない場合は音声認証による画面ロック解除機能を利用可であると判定する（例えば、ユーザが公共交通機関などの移動機能を利用している状況、ユーザ自身が運転者として移動機能を操作して移動中であり、電子機器１０の画面ロック機能を有効にすることで、ユーザの意識を運転へ集中させる状況その他の状況が想定される）。ステップＳ１０５において、判定対象の画面ロック解除機能が利用可であると判定される場合（ステップＳ１０５において「利用可」）、制御部１６０は、ステップＳ１０９の処理を行い、そうでない場合（ステップＳ１０５において「利用不可」）、制御部１６０は、ステップＳ１０７の処理を行う。
【００５０】
ステップＳ１０７において、制御部１６０は、認証方式識別情報１５１Ａに示される各画面ロック解除機能のうち、ステップＳ１０５における利用可否の判定対象とされておらず、セキュリティ強度１５１Ｂにおいてセキュリティ強度が高い画面ロック解除機能を優先して判定対象として選択する。
【００５１】
ステップＳ１０９において、制御部１６０は、ステップＳ１０５で利用可と判定された画面ロック解除機能に切り替えて画面ロック解除機能を実行し、ディスプレイ１４２に、画面ロックの解除を促す表示を行う。
【００５２】
図５は、実施の形態で説明した画面ロック解除の切り替え制御の画面表示の例を示す図である。図５において、状態（Ａ）は、ユーザが、通常使用する画面ロック解除機能を設定する局面における画面の表示例を示す。状態（Ａ）において、電子機器１０は、認証方式「音声認証」を、通常使用する画面ロック解除機能としてユーザから設定を受け付ける。状態（Ｂ）は、状態（Ａ）においてユーザが設定した、通常使用する画面ロック解除機能をディスプレイ１４２に表示する局面を示す。状態（Ｂ）に示すように、電子機器１０は、ユーザが認証方式「音声認識」を、通常使用する画面ロック解除機能として設定したことをディスプレイ１４２に表示する。
【００５３】
状態（Ｃ）、状態（Ｄ）および状態（Ｅ）は、電子機器１０の使用環境に応じて電子機器１０が画面ロック解除機能を切り替える局面における画面の表示例を示す。状態（Ｃ）は、通常使用する画面ロック解除機能として音声認識がユーザに指定されており、電子機器１０の周辺の音の音量が閾値を超えない場合に（ステップＳ１０５において「利用可」）、電子機器１０が音声認識による画面ロック解除機能を実行する（ステップＳ１０９）局面を示す。
【００５４】
状態（Ｄ）は、通常使用する画面ロック解除機能として音声認識がユーザに指定されているものの、電子機器１０の周辺の音の音量が閾値を超えている場合に（ステップＳ１０５において「利用不可」）、ユーザが素手で操作しており指紋認証による画面ロック解除機能が利用できる局面を示す。電子機器１０は、音声認識以外の画面ロック解除機能として指紋認証による画面ロック解除機能を実行する。
【００５５】
状態（Ｅ）は、通常使用する画面ロック解除機能として音声認識がユーザに指定されているものの、電子機器１０の周辺の音の音量が閾値を超えている場合に（ステップＳ１０５において「利用不可」）、ユーザが手袋を着用しており指紋認証による画面ロック解除機能が利用できない局面を示す。電子機器１０は、指紋認証、音声認証に次ぐセキュリティ強度が設定されている顔認証を利用可能であるか否かを判定する（ステップＳ１０５）。顔認証を画面ロック解除機能として利用可能であると判定される場合に、電子機器１０は、音声認識以外の画面ロック解除機能として顔認証による画面ロック解除機能を実行する。
【００５６】
本実施の形態に係る電子機器は、プロセッサと、その上で実行されるプログラムにより実現される。本実施の形態を実現するプログラムは、通信インタフェースを介してネットワークを利用した送受信等により提供される。
【００５７】
今回開示された実施の形態はすべての点で例示であって制限的なものでないと考えられるべきである。この発明の範囲は上記した説明ではなくて特許請求の範囲によって示され、特許請求の範囲と均等の意味および範囲内でのすべての変更が含まれることが意図される。
【符号の説明】
【００５８】
１０  電子機器、１０１  アンテナ、１１１  無線通信部、１５５  信号取得部、１３１  物理操作キー、１３４  グリップセンサ、１３３  角速度センサ、１３２  ＧＰＳモジュール、１３５  カメラ、１３６  指紋認証センサ、１４１  操作受付部、１４２  ディスプレイ、１４３  感圧センサ、１４４  電源制御部、１４５  バッテリ、１４６  音声処理部、１４７  マイク、１４８  スピーカ、１４９  照度センサ、１５０  記憶部、１５１  利用可否情報、１５２  通常ロック設定情報、１５３  指紋認証情報、１６０  制御部、１６１  解除機能設定部、１６２  ロック解除部、１７１  画面ロック設定制御部、１７２  画面ロック判定部、１７３  画面ロック切替部、１７４  画面ロック表示部。
【図１】
2016177456.tif 000003
【図２】
2016177456.tif 000004
【図３】
2016177456.tif 000005
【図４】
2016177456.tif 000006
【図５】
2016177456.tif 000007